(57)【要約】【課題】釣糸巻き取り時に釣糸案内部を介してロータの支持部にこねる方向の力が作用しても、強度的に支障なく巻き取り操作が行なえる魚釣用スピニングリールを提供する。【解決手段】本発明の魚釣用スピニングリールは、駆動歯車に噛合するピニオンを有する回転軸筒９に、釣糸案内部を有するロータ３の支持部３ｂを嵌合して取り付け固定し、回転軸筒９の内部に前部にスプールを有するスプール軸４ａを前後動可能に挿入してなる。回転軸筒９の外周部には補強筒３０が嵌合され、この補強筒３０の一側３０ａの内周部をロータ３の円筒状の支持部３ｂの外周に嵌合した。【選択図】図２
2010193828.tif 000002
【特許請求の範囲】
【請求項１】
駆動歯車に噛合するピニオンを有する回転軸筒に、釣糸案内部を有するロータの支持部を嵌合して取り付け固定し、前記回転軸筒の内部に前部にスプールを有するスプール軸を前後動可能に挿入してなる魚釣用スピニングリールにおいて、
前記回転軸筒の外周部に補強筒を嵌合し、この補強筒の一側内周部を前記ロータの円筒状の前記支持部の外周に嵌合したことを特徴とする魚釣用スピニングリール。
【請求項２】
前記補強筒は、前記回転軸筒の外周部に回り止め嵌合され、リール本体と前記回転軸筒との間に設けられる転がり式一方向クラッチの転がり部材が摺接する内輪を兼用していることを特徴とする請求項１に記載の魚釣用スピニングリール。
【発明の詳細な説明】
【技術分野】
【０００１】
本発明は、ハンドルの回転操作で連動回転するロータに設けた釣糸案内部を介してスプールに釣糸を巻回する魚釣用スピニングリールに関する。
【背景技術】
【０００２】
一般に、魚釣用スピニングリールは、例えば特許文献１に開示されるように、ハンドルの回転操作で連動回転するロータの支持部（非円形断面の内周部を有する）が、一般的には巻き取り駆動機構の一部を構成する回転軸筒の外周部（非円形断面の外周部を有する）に回り止め嵌合されてナットで固定されている。
【０００３】
また、特許文献２には、ロータの支持部の外周部に、シール部材が接触する皿状のカバー体が嵌着された構成が開示されている。
【先行技術文献】
【特許文献】
【０００４】
【特許文献１】特開２００３−２６５０７８号
【特許文献２】特開２００２−１８６３８７号
【発明の概要】
【発明が解決しようとする課題】
【０００５】
ところで、特許文献１に開示される回り止め嵌合構造では、強負荷巻き取り操作を行なうと、ロータの釣糸案内部を介して、回転軸筒とこれに回り止め嵌合されたロータの支持部との非円形嵌合部に大きなトルクが作用し、嵌合部の角部が変形・摩耗してガタツキが発生してしまう。そのため、ロータの回転性能や逆転防止機能が低下するという問題がある。
【０００６】
これに対して、特許文献２では、ロータの支持部の外周部に嵌着された皿状のカバー体によってロータの支持部の補強効果がある程度期待できるが、強負荷巻き取り時に釣糸案内部を介してロータの支持部に作用するこねる方向の力に対しては、充分な補強効果を期待できず、ロータの良好な回転性能や逆転防止機能を維持し難い。
【０００７】
本発明は、前記事情に着目してなされたものであり、その目的とするところは、釣糸巻き取り時に釣糸案内部を介してロータの支持部にこねる方向の力が作用しても、強度的に支障なく巻き取り操作が行なえる魚釣用スピニングリールを提供することにある。
【課題を解決するための手段】
【０００８】
前記課題を解決するために、本発明は、駆動歯車に噛合するピニオンを有する回転軸筒に、釣糸案内部を有するロータの支持部を嵌合して取り付け固定し、前記回転軸筒の内部に前部にスプールを有するスプール軸を前後動可能に挿入してなる魚釣用スピニングリールにおいて、前記回転軸筒の外周部に補強筒を嵌合し、この補強筒の一側内周部を前記ロータの円筒状の前記支持部の外周に嵌合したことを特徴とする。
【０００９】
上記構成の魚釣用スピニングリールによれば、回転軸筒の外周に嵌合される補強筒の一側内周部を、ロータの円筒状の支持部の外周に嵌合する構成としたので、補強筒は、回転軸筒とロータの前記支持部とにわたって軸方向に延びることによりロータの支持部と回転軸筒とを連結して前記支持部（回転軸筒とロータの支持部との嵌合部）を強固に補強する。したがって、釣糸巻き取り時に釣糸案内部を介してロータの支持部（前記嵌合部）に大きなトルクが作用しても、また、ロータの支持部にこねる方向の力が作用しても、前記補強効果によって、強度的に支障なく巻き取り操作が行なえる。
【００１０】
また、上記構成において、前記補強筒は、前記回転軸筒の外周部に回り止め嵌合され、リール本体と前記回転軸筒との間に設けられる転がり式一方向クラッチの転がり部材が摺接する内輪を兼用してもよい。このように補強筒が一方向クラッチの内輪を兼用する構成とすることにより、回転軸筒に対する補強筒の組み込みが容易になり、組立作業性が向上すると共に、回転軸筒に対するロータの固定状態が強固なものとなって安定することにより、一方向クラッチによる逆転防止機能が向上する。
【発明の効果】
【００１１】
本発明によれば、釣糸巻き取り時に釣糸案内部を介してロータの支持部にこねる方向の力が作用しても、強度的に支障なく巻き取り操作が行なえる魚釣用スピニングリールが得られる。
【図面の簡単な説明】
【００１２】
【図１】本発明に係る魚釣用スピニングリールの第１の実施形態を示す図であり、内部構成を示した図。
【図２】図１に示す主要部の拡大図。
【図３】図２のＡ−Ａ線に沿った断面図。
【図４】図２のＢ−Ｂ線に沿った断面図。
【図５】図２のＣ−Ｃ線に沿った断面図。
【図６】本発明に係る魚釣用スピニングリールの第２の実施形態を示す図であり、主要部を拡大した図。
【図７】図６に示す実施形態の変形例を示す図。
【図８】図７の変形例を示す図。
【発明を実施するための形態】
【００１３】
以下、図面を参照しながら本発明に係る魚釣用スピニングリールの実施形態について説明する。  
図１〜図５は、本発明の第１の実施形態を示す図であり、図１は内部構成を示す図、図２は図１に示す主要部の拡大図、図３は図２のＡ−Ａ線に沿う断面図、図４は図２のＢ−Ｂ線に沿う断面図、図５は図２のＣ−Ｃ線に沿う断面図である。
図１に示されるように、本実施形態の魚釣用スピニングリールのリール本体１には、釣糸案内部３ａを具備し回転駆動されるロータ３と、ロータ３の回転駆動と同期して前後動されるスプール４が設けられている。
【００１４】
リール本体１内には、ハンドル軸５が軸受を介して回転可能に支持されており、ハンドル軸５の端部には、巻き取り操作されるハンドル５Ａが装着されている。また、ハンドル軸５には、ハンドル５Ａの回転操作を、ロータ３に伝達すると共に、スプール４に伝達する動力伝達機構６が係合されている。
【００１５】
動力伝達機構６は、ハンドル軸５に一体回転可能に装着される駆動歯車（ドライブギヤ）７と、ハンドル軸５に対して直交する方向に延出し、軸受８ａ，８ｂを介して回転可能に支持された回転軸筒９とを備えている。この場合、回転軸筒９の基端側には、駆動歯車７と噛合するピニオン９ａが形成されている。また、回転軸筒９の先端部には、雄ネジ部９ｂ（図２参照）が形成されており、この部分にロータナット１０を螺合することで、ロータ３が回転軸筒９に対して取り付けられている。
【００１６】
回転軸筒９は、軸方向に沿って貫通しており、その内部には、前部に釣糸が巻回されるスプール４を保持したスプール軸４ａが挿通されている。このスプール軸４ａの基端側には、公知のオシレーティング機構１２が連結されており、ハンドル軸５がハンドル５Ａの回転操作によって回転されたとき、スプール軸４ａが軸方向に沿って前後往復駆動される。
【００１７】
スプール軸４ａとロータナット１０との間には軸受１４が介在されており、この軸受１４は、ロータ３を回転軸筒９に対して固定するロータナット１０を回転可能に支持している。なお、軸受１４とスプール軸４ａとの間には、回転軸筒９の内周とスプール軸４ａの外周との間に僅かな隙間を形成してスプール軸４ａが滑らかに前後往復動できるようにカラー１５が配設されている。
【００１８】
また、リール本体１内には、ロータ３の逆回転を防止する逆転防止機構２０が設けられている。本実施形態の逆転防止機構２０は、転がり式一方向クラッチによって構成されており、具体的には、図２に明確に示されるように、リール本体１に対して回り止め固定される外輪２１と、外輪２１の内側に配設され、複数の転がり部材２２を保持した保持器２３とを備えている。外輪２１の内側には、各転がり部材２２をフリー回転可能とするフリー回転領域と、各転がり部材２２の回転を阻止する楔領域が形成されており、リール本体１の外部に突出するレバー２５を切換操作することで、リール本体内に延在する操作部材２５ａの係合部２５ｂを介して前記保持器２３を回動させ、前記転がり部材２２をフリー回転領域と楔領域に切り換え保持するようになっている。
【００１９】
転がり部材２２の内側には、回転軸筒９に対して一体回転可能となる内輪（後述する補強筒３０）が設置されており、レバー２５を切換操作して保持器２３を回動することで、回転軸筒９（すなわち、ロータ３）を、正逆転可能な状態／逆転防止状態に切り換えるよう構成されている。
【００２０】
上記構成により、ハンドル５Ａを回転操作すると、オシレーティング機構１２を介してスプール４が前後に往復動し、かつ、駆動歯車７および回転軸筒（ピニオン９ａ）を介してロータ３が回転駆動するため、スプール４には、ロータ３の釣糸案内部３ａを介して釣糸が均等に巻回される。
【００２１】
次に、ロータ３の回転軸筒９に対する取り付け態様について、図３〜図５を併せて参照しながら説明する。
ロータ３には、回転軸筒９に対して回り止め嵌合されるように、その中央部に、軸方向に突出（ロータ３の内壁３ｃに対して後方に向けて突出）する円筒状の支持部３ｂが形成されている。この支持部３ｂは、回転軸筒９を挿通させるものであり、図３に示すように、その内周部３ｄが断面非円形に形成され、回転軸筒９の断面非円形の外周部９ｃとの間で回り止め嵌合されるよう構成されている。
【００２２】
また、支持部３ｂの突出した領域の外周部３ｅは、断面円形に形成されており、補強筒３０の先端側が嵌合されている。なお、同芯度を出すために、外周部３ｅは、本実施形態のように断面円形に形成されることが好ましいが、非円形の断面を有していてもよい。ここで補強筒３０とは、回転軸筒９の長手方向に沿って回転軸筒９の外周部に嵌合するカラー状の部材として構成されたものであり、ロータ３の支持部３ｂ（支持部３ｂと回転軸筒９との嵌合部）を補強する部材である。本実施形態における補強筒３０は、リール本体と回転軸筒９との間に設けられる前記転がり式一方向クラッチ（逆転防止機構）２０の転がり部材２２が摺接する内輪としての機能を兼ね備えている。
【００２３】
補強筒３０の一側には、ロータ３の支持部３ｂの突出した領域の外周部（円形外周部）３ｅに対して嵌合支持される第１円形内周支持部３０ａ（前述したように、外周部３ｅが非円形の場合には、この支持部３０ａの内周部も非円形となる）が形成され、補強筒３０の他方の一側には、回転軸筒９の外周部に形成される円形外周部９ｄに対して嵌合支持される第２円形内周支持部３０ｂが形成されている。
【００２４】
また、補強筒３０の内面側には、回転軸筒９の外周部に対して回り止め嵌合される非円形内周支持部３０ｃが形成されている。この場合、非円形内周支持部３０ｃは、前記第１円形内周支持部３０ａと第２円形内周支持部３０ｂとの間に形成されており、これにより、図２に示すように、回転軸筒９の断面非円形の外周部９ｃを、そのまま軸方向後方側に延在させて非円形内周支持部３０ｃを回り止め嵌合させることが可能となっている。
【００２５】
上記構成の魚釣用スピニングリールによれば、回転軸筒９の外周に嵌合される補強筒３０の一側内周部を、ロータ３の円筒状の支持部３ｂの外周に嵌合する構成としたので、補強筒３０は、回転軸筒９とロータ３の支持部３ｂとにわたって軸方向に延びることによりロータ３の支持部３ｂと回転軸筒９とを連結して支持部３ｂ（回転軸筒９とロータ３の支持部３ｂとの嵌合部）を強固に補強する。したがって、釣糸巻き取り時に釣糸案内部３ａを介してロータ３の支持部３ｂ（前記嵌合部）に大きなトルクが作用しても、また、ロータ３の支持部３ｂにこねる方向の力が作用しても、前記補強効果によって、強度的に支障なく巻き取り操作が行なえる。
【００２６】
また、上記構成では、補強筒３０が、回転軸筒９の外周部に回り止め嵌合され、リール本体１と回転軸筒９との間に設けられる転がり式一方向クラッチ２０の転がり部材が摺接する内輪を兼用しているため、回転軸筒９に対する補強筒３０の組み込みが容易になり、組立作業性が向上すると共に、回転軸筒９に対するロータ３の固定状態が強固なものとなって安定することにより、一方向クラッチ２０による逆転防止機能が向上する。
【００２７】
なお、補強筒３０は、転がり式一方向クラッチ２０の内輪としての機能を兼ね備えることなく、単なる補強機能を有する部材として構成されていても良い。例えば、図６に示す第２実施形態のように、リール本体１内に組み込まれる逆転防止機構５０は、ロータ３の内壁部に一体形成されるラチェット３Ａと、レバー２５（図１参照）を切換操作することで、リール本体内に延在する操作部材２５ａの係合部２５ｂを介してラチェット３Ａに係止されるストッパー５１とを備えたラチェット式ストッパーとして構成することが可能である。
【００２８】
このような構成では、補強筒３０Ａは、ロータ３の支持部３ｂの外周部に形成される円形外周部３ｅに対して嵌合支持される第１円形内周支持部３０ａと、回転軸筒９の外周部に形成される円形外周部９ｄに対して嵌合支持される第２円形内周支持部３０ｂとを備えており、これにより、回転軸筒９とロータ３の支持部３ｂとにわたって軸方向に延びてロータ３の支持部３ｂと回転軸筒９とを連結し、支持部３ｂ（回転軸筒９とロータ３の支持部３ｂとの嵌合部）を強固に補強する。
【００２９】
なお、図６に示したラチェット式ストッパーとして構成された逆転防止機構５０は、図７に示すように、ラチェット５３を、回転軸筒９に対して回り止め嵌合した構造であっても良い。
【００３０】
また、この図７のラチェット構成では、図８に示されるように、ラチェット５３と共に補強筒３０Ａも回転軸筒９に対して回り止め嵌合されてもよい。すなわち、この構成において、補強筒３０Ａは、ロータ３の支持部３ｂの外周部に形成される円形外周部３ｅに対して嵌合支持される第１円形内周支持部３０ａと、回転軸筒９の外周部に形成される非円形外周部９ｄ’（断面が非円形）に対して嵌合支持される非円形内周支持部３０ｂ’とを備えている。
【符号の説明】
【００３１】
１  リール本体
３  ロータ
３ｂ  支持部
３ｅ  外周部（円形外周部）
４  スプール
４ａ  スプール軸
９  回転軸筒
２０  逆転防止機構
３０  補強筒
３０ａ  第１円形内周支持部（補強筒の一側内周部）
【図１】
2010193828.tif 000003
【図２】
2010193828.tif 000004
【図３】
2010193828.tif 000005
【図４】
2010193828.tif 000006
【図５】
2010193828.tif 000007
【図６】
2010193828.tif 000008
【図７】
2010193828.tif 000009
【図８】
2010193828.tif 000010